(57)【要約】【課題】自然景観と調和する化粧材としての機能と土留め壁としての強度機能を併有する丸太材使用の土留め用かご枠を開発する。【解決手段】内部に中詰材を充填する土留め用かご枠の外部に露出する前面部を、底面側より垂直に延びる左右一対のフランジ６’付き支柱６，６と、両端の切り込み８，８を、それぞれ上記一対の支柱のフランジ６’に係合させて当該支柱６，６間に水平に取り付けられ、積み重ねられる複数個の丸太材７…とで形成する。【選択図】　　　図１
2004019125.tif 000002
【特許請求の範囲】
【請求項１】
少なくとも底面と前面と後面を備え、左右両側に端面を取り付け可能な網容器の内部に中詰材を充填する土留め用かご枠であって、その外部に露出する前面を、底面側より垂直に延びる左右一対のフランジ付き支柱と、両端の切込みを、それぞれ上記一対の支柱のフランジに係合させて当該支柱間に水平に取り付けられ、積み重ねられる複数個の丸太材とで形成することを特徴とする土留め用かご枠。
【請求項２】
一対のフランジ付き支柱間には、補強用の梁材を架設することを特徴とする請求項１に記載の土留め用かご枠。
【請求項３】
少なくとも底面と前面と後面とを備え、左右両側に端面を取り付け可能な網容器の内部に中詰材を充填する土留め用かご枠であって、その外部に露出する前面を、底面側より垂直に延びる左右一対の支柱と、該一対の支柱の上端部間および下端部間に水平に架設される上下のフランジ付き梁材と、両端の切込みを、それぞれ上記上下の梁材のフランジに係合させて当該上下の梁材間に垂直に取り付けられ、並列設置される複数個の丸太材とで形成することを特徴とする土留め用かご枠。
【発明の詳細な説明】
【０００１】
【発明の属する技術分野】
この発明は、所要高さに積み重ねて擁壁や堰堤に構築する土留め用かご枠の構造に関する。
【０００２】
【従来の技術】
土留め用かご枠は、ひし形金網や溶接金網等で形成された箱形の容器であり、内部に栗石や土砂等を中詰材として充填して、土や石が崩壊する虞れのある法面もしくは傾斜面に設置し、必要個数を階段状あるいは垂直に積み重ねることにより所要高さの擁壁や堰堤等に構築するものである。
【０００３】
しかし、このような金網製のかご枠で構築される擁壁や堰堤等は、何れも景観面では人工構造物の感を免れず、自然景観を著しく損なうものであった。このため、従来よりこの種のかご枠を使用する場合には、かご枠に自然と調和する色彩塗装を施したり、あるいは植生シートや植生土嚢等を使用して、かご枠の見付け前面部に草や低木を生育させることにより、自然との景観調和が図られている。
【０００４】
また、木材が自然と調和しやすい素材であることを利用して、図６に示すように、土留め用かご枠１の外部露出面である前面部分に木製の化粧材１９を取り付けることも行われている。
【０００５】
【発明が解決しようとする課題】
しかしながら、土留め用かご枠に色彩塗装を施したり、植生シート等を使用して草や低木を生育するという景観対策は、冬季になって植生が枯れたり低木が落葉すると、かご枠を構成する金網等の金属部材が露出して周囲の景観を壊し、施された色彩塗装も周囲の景観と調和しなくなる。また、季節にかかわらず、擁壁等を設置した場所が、植生の繁茂に必要な水分を得られなかったり、植生の繁茂に適さない場合では、植生が十分に繁茂せず、自然景観との調和を図ることができなかった。
【０００６】
一方、土留め用かご枠１の前面部に木製の化粧材１９を取り付ける対策は、上記のような欠点がなく自然景観との調和を図る上で有効である。しかし、従来の木製の化粧材１９は、かご枠前面の金属露出部を木材に偽装して自然に調和させるだけの機能しかなく、土圧を支持する強度部材としての機能を与えられていなかった。すなわち、木材は腐食し易く長期間の使用に耐えないからであり、また、木材を強度部材として用いるために、かご枠と一体化させた構造では、腐食した木材のみの取り換えができず、かご枠の全面的な取り換え工事が必要となるからである。このため、元来は、かご枠の土留め壁部材として十分機能し得る高い強度を備えている木材の特性が、十分に生かされていなかったのである。
【０００７】
本発明は、このような問題を解決するためになされたものであり、自然景観との調和を図る上で有効な木材をかご枠前面の土留め壁部材に使用して、木材の持つ化粧材としての機能と、強度部材としての機能とを共に有効活用するとともに、木材が腐食したときには、腐食した部分だけを簡単に取り換えることができる構造の土留め用かご枠の提供を目的とする。
【０００８】
【課題を解決するための手段】
上記目的を達成する本発明の土留め用かご枠は、少なくとも底面と前面と後面を備え、左右両側に端面を取り付け可能な網容器の内部に中詰材を充填する土留め用かご枠であって、その外部に露出する前面を、底面側より垂直に延びる左右一対のフランジ付き支柱と、両端の切り込みを、それぞれ上記一対の支柱のフランジに係合させて当該支柱間に水平に取り付けられ、積み重ねられる複数個の丸太材とで形成することを特徴とする。
【０００９】
この場合、一対のフランジ付き支柱間には、補強用の梁材を架設するようにしてもよい。
【００１０】
また、本発明の別のバリエーシヨンとしては、少なくとも底面と前面と後面とを備え、左右両側に端面を取り付け可能な網容器の内部に中詰材を充填する土留め用かご枠であって、その外部に露出する前面を、底面側より垂直に延びる左右一対の支柱と、該一対の支柱の上端部間および下端部間に水平に架設される上下のフランジ付き梁材と、両端の切り込みを、それぞれ上記上下の梁材のフランジに係合させて当該上下の梁材間に垂直に取り付けられ、並列設置される複数個の丸太材とで形成するものがある。
【００１１】
【発明の実施の形態】
図１は、本発明に係る土留め用かご枠の好ましい実施の形態を示している。同図に示すように、図示例の土留め用かご枠１は、分割された前半部１’と後半部１’’とを組み合わせることにより、底面Ａと前面Ｂと後面Ｃとを備える網容器に形成されている。
【００１２】
すなわち、上記かご枠１の後半部１’’は、Ｌ字曲げした２本の鉄筋２ｂ，２ｂを所定間隔で平行に配置し、その垂直部間および水平部間に溶接金網３，３を張設して、それぞれかご枠１後面Ｃおよびかご枠１底面Ａの後半部Ａ’’に形成したものである。両鉄筋２ｂ，２ｂの垂直部先端間には、同じく鉄筋で形成した梁材４が架設してあり、両鉄筋２ｂ，２ｂの水平部先端には、後述するかご枠１前半部１’側のフック１１，１１と係合するリング５，５が設けてある。
【００１３】
かご枠１の前半部１’は、Ｌ字曲げした２本の鉄筋２ａ，２ａを所定間隔で平行に配置し、その水平部間に溶接金網３を張設して、かご枠１底面Ａの前半部Ａ’に形成している。そして、両鉄筋２ａ，２ａの垂直部（破線で示す）には、山形鋼にて形成されたフランジ付き支柱６，６が、互いのフランジ６’，６’先端を正対させて垂直に取り付けてある。この左右の支柱６，６間には、土留め壁部材である複数本の丸太材７…が、いずれも図２に示すように、丸太材７の両端に設けた切り込み８，８を、それぞれ左右の支柱６，６のフランジ６’、６’に係合させて水平に取り付けられ、想像線で示すように必要段数に積み重ねられる。これらの丸太材７…と左右一対のフランジ付き支柱６，６とで、かご枠１の前面Ｂが形成されている。
【００１４】
また、左右の支柱６，６間上部には、支柱の剛性を高め、かつ丸太材７…の抜け落ちを防止するための桁材９が着脱可能に架設してある。図示例の梁材９は、両端部９’，９’を下方へ垂直曲げした鉄筋で形成してあり、その両端部を、左右の支柱６，６上部に設けたリング１０，１０に嵌入して架設するようにしてある。さらに、Ｌ字曲げ鉄筋２ａ，２ａの水平部先端には、いずれも前記かご枠後半部１’’のリング５，５と嵌合させるフック１１，１１が形成してある。
【００１５】
上記構成よりなる土留め用かご枠１を使用して擁壁等を構築するには、まず、分割された当該かご枠１の前半部１’を現場に必要個数並べて設置する。そして、各かご枠１前半部１’の左右の支柱６，６間に複数本の丸太材７…を取り付ける。このとき、複数本の丸太材７…は、支柱６，６の上方より両端の切り込み８，８をフランジ６’，６’に係合させて順次落とし込むことにより、支柱６，６間に積み重なって水平に取り付けられる。これにより、土留め壁としての機能を備えた天然丸太材製のかご枠前面Ｂが形成される。最後に梁材９を左右の支柱６，６間に架設して丸太材７…の抜け落ちを防止しておく。なお、丸太材７…は、図３に示すように、積み重ねる本数分（図示例では４本）を予めボルト１２とナット１３で連結してパネル化しておいてもよい。
【００１６】
前半部１’の設置が完了すると、各かご枠１の後半部１’’を運び込み、そのリング５，５を前半部１’のフック１１，１１に嵌合させて、前半部１’と連結し、一体的なかご枠１に組み合わせる。組み合わせた各かご枠１の要所に補強材である斜材や梁材を配設するとともに、左右両端に並ぶかご枠１の外側に位置する側面に、それぞれ端面を取り付けて網容器を形成する。次いで、この網容器の内部に割り栗石あるいは土砂等の中詰材を充填する。中詰材の充填が完了すると、各かご枠の上に２段目のかご枠１を前記同様の手順で設置し、以後、同様の手順を繰り返して必要段数の擁壁等を構築する。
【００１７】
図４は、本発明の他の実施の形態を示している。この例では、上記同様に分割された前半部１’と後半部１’’とを組み合わせて少なくとも底面Ａと前面Ｂと後面Ｃとを備える土留め用かご枠１において、その外部に露出する前面Ｂが、底面Ａ側より垂直に延びる左右一対の支柱１４，１４と、該一対の支柱の上端部間および下端部間に水平に架設される上下のフランジ１５’付き梁材１５１　，１５２と、両端の切り込み８，８を、それぞれ上記上下の梁材１５１　，１５２　のフランジ１５’に係合させて当該上下の梁材１５１　，１５２　間に垂直に取り付けられ、想像線で示すように並列設置される複数個の丸太材７…とで形成してある。
【００１８】
すなわち、支柱１４，１４は、かご枠１前半部１’を構成する左右一対のＬ字曲げ鉄筋２ａ，２ａの垂直部で形成してあり、その先端は螺子部１６に形成してある。また、山形鋼で形成された上下の梁材１５１　，１５２　は、下側の梁材１５２　がフランジ１５’を上向きにして支柱１４，１４間に水平に固着してあり、上側の梁材１５１　が、フランジ１５’を下向きにし、ウエブ１５’’両端の貫通孔１７，１７を、それぞれ両支柱１４，１４先端の前記螺子部１６に挿通してナット１８で固定する着脱式になっている。したがって、上側の梁材１５１　を取り外すことにより、丸太材７…を容易に取り換えることができる。なお、丸太材７…は、図５に示すように、並列させる本数分（図示例では５本）を予めボルト１２とナット１３で連結してパネル化しておいてもよい。
【００１９】
【発明の効果】
以上に説明したとおり、本発明の土留め用かご枠は、この種のかご枠の外部に露出する前面を、天然木の丸太材で形成したから、四季を通じて自然景観と良く調和し、しかも土留め壁としての本来の強度特性を十分に発揮することができる。
【００２０】
また、丸太材を簡単に着脱できる構造であるから、丸太材が腐食した場合には、腐食した丸太材のみを取り換えることができ、かご枠全体の取り換え工事が不要である。したがって、丸太材に腐食し易い間伐材を使用することも可能である。
【図面の簡単な説明】
【図１】本発明に係る土留め用かご枠を説明する斜視図である。
【図２】支柱のフランジと丸太材の切り込みの係合を示す平面図である。
【図３】パネル化した水平組み丸太材の一例を示す斜視図である。
【図４】本発明に係る他の土留め用かご枠を説明する斜視図である。
【図５】パネル化した垂直組み丸太材の一例を示す斜視図である。
【図６】かご枠の表面に化粧板を取り付けた従来例を示す斜視図である。
【符号の説明】
１　土留め用かご枠
１’　かご枠の前半部
１’’　かご枠の後半部
６　支柱
６’フランジ
７　丸太材
８　切り込み
１４　支柱
１５１　　　上側の梁材
１５２　　下側の梁材
１５’　フランジ
Ａ　かご枠の底面
Ｂ　かご枠の前面
Ｃ　かご枠の後面
【図１】
2004019125.tif 000003
【図２】
2004019125.tif 000004
【図３】
2004019125.tif 000005
【図４】
2004019125.tif 000006
【図５】
2004019125.tif 000007
【図６】
2004019125.tif 000008